(57)【要約】【課題】運用中の交換機において、交換機の故障の有無、及び、故障区間を判定できる交換機を提供する。【解決手段】試験用通信経路において、第１の試験データを上り方向へ送信し、下り方向から受信した第２の試験データを記録する送受信手段と、サービス用又は試験用通信経路を構成する接続手段と、受信した第３の試験データ又は送信した第４の試験データを記録する記録手段と、を含む試験手段と、第１及び第２の、並びに、第３又は第４の試験データを収集して、試験用通信経路の故障の有無及び故障区間を判定する制御手段とを備え、接続手段は、サービス用通信経路において、上りの始点及び下りの終点を発呼端末から送受信手段に、上りの終点及び下りの始点を着呼端末から折り返し経路に置き換えることにより、試験用通信経路を設定する。【選択図】      図１
2014103509.tif 000002
【特許請求の範囲】
【請求項１】
試験時の通信経路である試験用通信経路において、第１の試験データを上り方向へ送信し、下り方向から受信した第２の試験データを記録する試験データ送受信手段と、
サービス時の通信経路であるサービス用通信経路又は前記試験用通信経路を構成する接続手段と、前記試験用通信経路において、上り若しくは下り方向から受信した第３の試験データ又は上り若しくは下り方向へ送信した第４の試験データを記録する記録手段とを含む試験手段と、
前記試験データ送受信手段が記録した前記第１の試験データ及び前記第２の試験データ、並びに、前記記録手段が記録した前記第３の試験データ又は前記第４の試験データを収集して、前記試験用通信経路の故障の有無及び故障区間を判定する制御手段とを備え、
前記接続手段は、前記サービス用通信経路において、上りの始点及び下りの終点を発呼端末から前記試験データ送受信手段に、上りの終点及び下りの始点を着呼端末から上りの終点及び下りの始点を直接つなぐ折り返し経路に置き換えることにより、前記試験用通信経路を設定し、前記試験用通信経路において、上りの始点及び下りの終点を前記試験データ送受信手段から発呼端末に、上りの終点及び下りの始点を前記折り返し経路から着呼端末に置き換えて、前記サービス用通信経路を設定する
ことを特徴とする交換機。
【請求項２】
前記折り返し経路は、前記第４の試験データを前記試験データ送受信手段へ入力する
ことを特徴とする請求項１に記載の交換機。
【請求項３】
更に、試験時の通信経路である第２の試験用通信経路において、第６の試験データを上り方向へ送信し、下り方向から受信した第７の試験データを記録する第２の試験データ送受信手段と、
サービス時の通信経路である第２のサービス用通信経路又は前記第２の試験用通信経路を構成する第２の接続手段と、前記第２の試験用通信経路において、上り若しくは下り方向から受信した第８の試験データ又は上り若しくは下り方向へ送信した第９の試験データを記録する第２の記録手段とを含む第２の試験手段と、
前記第２の接続手段は、前記サービス用通信経路において、上りの始点及び下りの終点を発呼端末から前記試験データ送受信手段に、上りの終点及び下りの始点を着呼端末から上りの終点及び下りの始点を直接つなぐ折り返し経路に置き換えることにより、前記試験用通信経路を設定し、前記試験用通信経路において、上りの始点及び下りの終点を前記試験データ送受信手段から発呼端末に、上りの終点及び下りの始点を前記折り返し経路から着呼端末に置き換えて、前記サービス用通信経路を設定し、
前記制御手段は、更に、前記第２の試験データ送受信手段が記録した前記第６の試験データ及び前記第７の試験データ、並びに、前記第２の記録手段が記録した前記第８の試験データ又は前記第８の試験データを収集して、前記第２の試験用通信経路の故障の有無及び故障区間を判定する
ことを特徴とする請求項１又は２に記載の交換機。
【請求項４】
前記折り返し経路手段は、前記第４の試験データを前記試験データ送受信手段へ入力するか、又は、
前記第２の折り返し経路は、前記第９の試験データをそのまま前記第２の試験データ送受信手段へ入力する
ことを特徴とする請求項３に記載の交換機。
【請求項５】
試験時の通信経路である試験用通信経路において、第１の試験データを上り方向へ送信し、下り方向から受信した第２の試験データを記録し、
サービス時の通信経路であるサービス用通信経路又は前記試験用通信経路を構成し、前記試験用通信経路において、上り若しくは下り方向から受信した第３の試験データ又は上り若しくは下り方向へ送信した第４の試験データを記録し、
前記第１の試験データ及び前記第２の試験データ、並びに、前記第３の試験データ又は前記第４の試験データを収集して、前記試験用通信経路の故障の有無及び故障区間を判定し、
前記サービス用通信経路において、上りの始点及び下りの終点を発呼端末から前記第１の試験データの送信元及び前記第２の試験データの受信先に、上りの終点及び下りの始点を着呼端末から上りの終点及び下りの始点を直接つなぐ折り返し経路に置き換えることにより、前記試験用通信経路を設定し、前記試験用通信経路において、上りの始点及び下りの終点を前記第１の試験データの送信元及び前記第２の試験データの受信先から発呼端末に、上りの終点及び下りの始点を前記折り返し経路から着呼端末に置き換えて、前記サービス用通信経路を設定する
ことを特徴とする試験方法。
【請求項６】
交換機が備えるコンピュータを、
試験時の通信経路である試験用通信経路において、第１の試験データを上り方向へ送信し、下り方向から受信した第２の試験データを記録する試験データ送受信手段と、
サービス時の通信経路であるサービス用通信経路又は前記試験用通信経路を構成する接続手段と、前記試験用通信経路において、上り若しくは下り方向から受信した第３の試験データ又は上り若しくは下り方向へ送信した第４の試験データを記録する記録手段とを含む試験手段と、
前記試験データ送受信手段が記録した前記第１の試験データ及び前記第２の試験データ、並びに、前記記録手段が記録した前記第３の試験データ又は前記第４の試験データを収集して、前記試験用通信経路の故障の有無及び故障区間を判定する制御手段とを備え、
前記接続手段は、前記サービス用通信経路において、上りの始点及び下りの終点を発呼端末から前記試験データ送受信手段に、上りの終点及び下りの始点を着呼端末から上りの終点及び下りの始点を直接つなぐ折り返し経路に置き換えることにより、前記試験用通信経路を設定し、前記試験用通信経路において、上りの始点及び下りの終点を前記試験データ送受信手段から発呼端末に、上りの終点及び下りの始点を前記折り返し経路から着呼端末に置き換えて、前記サービス用通信経路を設定する
ことを特徴とする交換機として動作させるための試験プログラム。
【発明の詳細な説明】
【技術分野】
【０００１】
本発明は、交換機、交換機の試験方法、及び、試験プログラムに関する。
【背景技術】
【０００２】
交換機は、多対多の通信において、発信者の要求に従って伝送路間の接続を切り替え、通信経路を構成する。交換機、交換機群、又は、交換機を構成するモジュールの試験（以下、「交換機の試験」という。）は、通信経路の一点から送信された試験信号が、通信経路の他点において正しく受信されるか否かを判定することにより、実行されることがある。
【０００３】
交換機の試験の一例が、特許文献１に開示されている。特許文献１の交換機は、試験用回線インタフェースと、試験対象回線インタフェースと、ＡＴＭ（Asynchronous Transfer Mode；非同期転送モード）スイッチ部と、回線指示制御部とを備える。又、試験用回線インタフェースは、テストセル生成部と、テストセルチェック部とを備える。又、試験対象回線インタフェースは、ループバック制御部を備える。特許文献１の交換機は、以下のように動作する。
【０００４】
試験用の通信経路を構成する試験対象回線インタフェースのそれぞれは、テストセル（試験用のＡＴＭセル）を受信したらスイッチルーティング情報内のスイッチ出力ポートのポート番号に指定されている番号を、回線指示制御部から指定された番号に変換する。回線指示制御部は、試験用の通信経路を構成する試験対象回線インタフェースのそれぞれに、この変換のためにあらかじめ指示を出しておく。
【０００５】
次に、テストセル生成部が、まずＡＴＭセルを生成する。テストセル生成部は、さらにＡＴＭセルのＡＴＭヘッダに格納されているＶＣＩ（Virtual Channel Identifier）及びＶＰＩ（Virtual Path Identifier）からスイッチルーティング情報（ＡＴＭスイッチ部内で使用されるルーティング情報）を生成する。テストセル生成部は、スイッチルーティング情報をＡＴＭセルに付加してテストセルを生成する。テストセル生成部は、スイッチルーティング情報を生成するとき、スイッチルーティング情報内のスイッチ出力ポートにポート番号として、試験用の通信経路の最初の試験対象回線インタフェースを指定する。テストセル生成部は、テストセルをＡＴＭスイッチ部に送出する。
【０００６】
ＡＴＭスイッチ部は、テストセルのスイッチ出力ポートのポート番号を読み取り、指定された回線インタフェースにテストセルを送出する。
【０００７】
テストセルを受信した試験対象回線インタフェースのループバック制御部は、テストセルのスイッチ出力ポートのポート番号を、あらかじめ回線指示制御部から指示された番号に変換し、テストセルを上り回線側へ折り返し送出する。
【０００８】
上記のＡＴＭスイッチ部によるテストセルの送出と、ループバック制御部によるテストセルの上り回線側へ折り返し送出とが、テストセルチェック部がテストセルを受信するまで繰り返される。
【０００９】
テストセルを受信したテストセルチェック部は、テストセルをチェックする。
【００１０】
上記の動作の結果、この交換機では、回線インタフェースが何回線収容されていても、全回線を一度に試験することができる。
【００１１】
交換機の試験の別の一例が、特許文献２に開示されている。特許文献２の交換システムは、２台の端末装置と、２台の終端装置と、２台の加入者交換装置と、１台の中継交換装置と、端末と終端装置を接続するケーブルと、終端装置と加入者交換装置を接続する伝送路と、加入者交換装置と中継交換装置を接続する中継伝送路と、端末、終端装置、及び、加入者交換装置における折り返し経路と、オペレーション装置とを備える。加入者交換装置、及び、中継交換装置は、装置毎に、上り及び下り回線の入力及び出力に各々１個、合計４個の試験機能部を備える。尚、ここでは、交換装置の一方の入出力方向を「上り」と、他方の入出力方向を「下り」という。中継交換装置は、試験セル送受信機能部を備える。特許文献２の交換機は、以下のように動作する。
【００１２】
まず、２台の加入者交換装置の外側にある、端末、終端装置、又は、加入者交換装置における折り返し経路のいずれか１組のみを有効することにより、１個の閉じた試験用の通信経路が設定される。
【００１３】
試験セル送受信機能部は、中継交換装置の上り又は下りのいずれか一方の、２個の試験機能部の間に接続されることにより、試験用の通信経路に挿入される。試験セル又はフレームのペイロードには、シーケンス番号を記入するフィールドが設けられる。試験セル送受信機能部は、そのフィールドにシーケンス番号を初期値から１ずつ増加させながら試験セル又はフレームを発生させて、試験用の通信経路に送出する。
【００１４】
加入者交換装置、及び、中継交換装置が備える試験機能部は、それぞれ、試験用の通信経路を通過する試験セル又はフレームのシーケンス番号の連続性を監視して、損失した試験セルまたはフレームのシーケンス番号を記録する。
【００１５】
オペレーション装置は、試験セル又はフレーム送出後に、すべての試験機能部から損失した試験セルまたはフレームのシーケンス番号の記録を収集する。オペレーション装置は、損失が記録されたシーケンス番号について、試験用の通信経路の通過順とは逆順に、各試験機能部で損失が記録されたシーケンス番号をチェックする。オペレーション装置は、損失が記録されたあるシーケンス番号について、ある試験機能部で損失が記録されており、その１個上流の試験機能部で損失が記録されていないならば、その損失が記録された試験機能部とその１個上流の試験機能部との間が故障区間であると特定する。
【００１６】
上記の動作の結果、この交換システムでは、回線試験において、折り返し点を１回設定することで、故障区間を特定することができる。
【先行技術文献】
【特許文献】
【００１７】
【特許文献１】特開平１０−２８１２５号公報（第４−５ページ、図１−２、図４）
【特許文献２】特開平９−２４７１６０号公報（第４−５ページ、図１−７）
【発明の概要】
【発明が解決しようとする課題】
【００１８】
特許文献１に開示されている技術では、交換機の故障の有無を１回の試験で判定できるが、故障区間を特定できないという問題がある。又、特許文献１に開示されている技術では、試験時に試験用の通信経路を設定するので、運用中の交換機で試験を実施できないという問題がある。
【００１９】
特許文献２に開示されている技術では、試験用の通信経路上での交換機の故障の有無、及び、故障区間を判定できる。しかし、特許文献１に開示されている技術と同様に、試験時に試験用の通信経路を設定するので、運用中の交換機で試験を実施できないという問題がある。
【００２０】
本発明の目的は、運用中の交換機において、交換機の故障の有無、及び、故障区間を判定できる、交換機、交換機の試験方法、及び、試験プログラムを提供することにある。
【課題を解決するための手段】
【００２１】
本発明の交換機は、試験時の通信経路である試験用通信経路において、第１の試験データを上り方向へ送信し、下り方向から受信した第２の試験データを記録する試験データ送受信手段と、サービス時の通信経路であるサービス用通信経路又は試験用通信経路を構成する接続手段と、試験用通信経路において、上り若しくは下り方向から受信した第３の試験データ又は上り若しくは下り方向へ送信した第４の試験データを記録する記録手段とを含む試験手段と、試験データ送受信手段が記録した第１の試験データ及び第２の試験データ、並びに、記録手段が記録した第３の試験データ又は第４の試験データを収集して、試験用通信経路の故障の有無及び故障区間を判定する制御手段とを備え、接続手段は、サービス用通信経路において、上りの始点及び下りの終点を発呼端末から試験データ送受信手段に、上りの終点及び下りの始点を着呼端末から上りの終点及び下りの始点を直接つなぐ折り返し経路に置き換えることにより、試験用通信経路を設定し、試験用通信経路において、上りの始点及び下りの終点を試験データ送受信手段から発呼端末に、上りの終点及び下りの始点を折り返し経路から着呼端末に置き換えて、サービス用通信経路を設定することを特徴とする。
【００２２】
本発明の試験方法は、試験時の通信経路である試験用通信経路において、第１の試験データを上り方向へ送信し、下り方向から受信した第２の試験データを記録し、サービス時の通信経路であるサービス用通信経路又は試験用通信経路を構成し、試験用通信経路において、上り若しくは下り方向から受信した第３の試験データ又は上り若しくは下り方向へ送信した第４の試験データを記録し、第１の試験データ及び第２の試験データ、並びに、第３の試験データ又は第４の試験データを収集して、試験用通信経路の故障の有無及び故障区間を判定し、サービス用通信経路において、上りの始点及び下りの終点を発呼端末から第１の試験データの送信元及び第２の試験データの受信先に、上りの終点及び下りの始点を着呼端末から上りの終点及び下りの始点を直接つなぐ折り返し経路に置き換えることにより、試験用通信経路を設定し、試験用通信経路において、上りの始点及び下りの終点を第１の試験データの送信元及び第２の試験データの受信先から発呼端末に、上りの終点及び下りの始点を折り返し経路から着呼端末に置き換えて、サービス用通信経路を設定することを特徴とする。
【００２３】
本発明の試験プログラムは、交換機が備えるコンピュータを、試験時の通信経路である試験用通信経路において、第１の試験データを上り方向へ送信し、下り方向から受信した第２の試験データを記録する試験データ送受信手段と、サービス時の通信経路であるサービス用通信経路又は試験用通信経路を構成する接続手段と、試験用通信経路において、上り若しくは下り方向から受信した第３の試験データ又は上り若しくは下り方向へ送信した第４の試験データを記録する記録手段とを含む試験手段と、試験データ送受信手段が記録した第１の試験データ及び第２の試験データ、並びに、記録手段が記録した第３の試験データ又は第４の試験データを収集して、試験用通信経路の故障の有無及び故障区間を判定する制御手段とを備え、接続手段は、サービス用通信経路において、上りの始点及び下りの終点を発呼端末から試験データ送受信手段に、上りの終点及び下りの始点を着呼端末から上りの終点及び下りの始点を直接つなぐ折り返し経路に置き換えることにより、試験用通信経路を設定し、試験用通信経路において、上りの始点及び下りの終点を試験データ送受信手段から発呼端末に、上りの終点及び下りの始点を折り返し経路から着呼端末に置き換えて、サービス用通信経路を設定することを特徴とする交換機と、して動作させることを特徴とする。
【発明の効果】
【００２４】
本発明によれば、運用中の交換機において、交換機の故障の有無、及び、故障区間を判定できるという効果がある。
【図面の簡単な説明】
【００２５】
【図１】本発明の第１の実施形態における交換機の構成を示すブロック図である。
【図２】本発明の第１の実施形態における交換機のハードウェア構成の一例を示すブロック図である。
【図３】本発明の第１の実施形態における交換機の動作を示すフローチャートである。
【図４】本発明の第１の実施形態における収集された試験データの判定結果の一例を示す図である。
【図５】本発明の第１の実施形態における収集された試験データの判定結果の別の一例を示す図である。
【図６】本発明の第１の実施形態における収集された試験データの判定結果の更に別の一例を示す図である。
【図７】本発明の第２の実施形態における交換機の構成を示すブロック図である。
【図８】本発明の第２の実施形態における交換機の動作を示すフローチャートである。
【発明を実施するための形態】
【００２６】
以下、本発明の実施形態について図面を参照して詳細に説明する。尚、すべての図面において、同様な構成要素には同様の符号を付し、適宜説明を省略する。
（第１の実施形態）
図１は、本発明の第１の実施形態における交換機の構成を示すブロック図である。
【００２７】
本実施形態の交換機１００は、複数の試験手段１１０、１３０と、試験データ送受信手段１７０と、制御手段１９０とを備える。
【００２８】
交換機１００は、発呼端末２００、及び、着呼端末３００に接続される。交換機１００は、発呼端末側交換機（図示されない）を経由して発呼端末２００に、又は、着呼端末側交換機（図示されない）を経由して着呼端末３００に接続されてもよい。
【００２９】
交換機１００は、ＡＴＭ交換機、同期デジタルハイアラーキ（ＳＯＮＥＴ／ＳＤＨ；Synchronous Optical NETwork/Synchronous Digital Hierarchy）交換機、フレームリレー交換機、又は、パケット交換機等であってよい。
【００３０】
試験データ送受信手段１７０は、試験時の通信経路である試験用通信経路において、第１の試験データを上り方向へ送信し、下り方向から受信した第２の試験データを記録する。
【００３１】
試験手段１１０、１３０は、サービス時の通信経路であるサービス用通信経路、又は、試験時の通信経路である試験用通信経路を構成するモジュールである。試験手段は、サービス時には、加入者を収容して発着信の信号検出をする機能や、三者通話機能や、アナウンス(案内音声等)やビジートーン等の音源の機能等を提供してもよい。
【００３２】
試験手段１１０、１３０は、それぞれ、接続手段１２５、１４５、及び、記録手段１２０、１４０を備える。
【００３３】
接続手段１２５、１４５は、制御手段１９０の指示により、サービス用通信経路、又は、試験用通信経路を構成する。
【００３４】
記録手段１２０、１４０は、試験用通信経路において、上り若しくは下り方向から受信した第３の試験データ、又は、上り若しくは下り方向へ送信した第４の試験データを記録する。
【００３５】
制御手段１９０は、サービス用通信経路において、上りの始点及び下りの終点を発呼端末２００から第１の試験データの送信元である試験データ送受信手段１７０に、上りの終点及び下りの始点を着呼端末３００から受信した第５の試験データをそのまま送信する経路である折り返し経路１８０に置き換えることにより、試験用通信経路を設定する。制御手段１９０は、又、試験データ送受信手段１７０が送受信した第１及び第２の試験データと、記録手段１２０、１４０が記録した第３又は第４の試験データとを収集し、故障の有無と、故障区間を判定する。制御手段１９０は、又、試験用通信経路において、上りの始点及び下りの終点を第１の試験データの送信元である試験データ送受信手段１７０から発呼端末２００に、上りの終点及び下りの始点を受信した第５の試験データをそのまま送信する経路である折り返し経路１８０から着呼端末３００に置き換えて、サービス用通信経路を設定する。
【００３６】
尚、ここでは、交換機１１０が２個の試験手段１１０、１３０を備える例を示したが、交換機１１０は、３個以上の試験手段を備えてもよい。
【００３７】
又、ここでは、交換機１１０が、制御手段１９０とは別に、試験データ送受信手段１７０を備える例を示したが、制御手段１９０が試験データ送受信手段１７０を含んでもよい。
【００３８】
図２は、交換機のハードウェア構成の一例を示すブロック図である。
【００３９】
交換機９０７は、記憶装置９０２と、ＣＰＵ（Central Processing Unit）９０３と、キーボード９０４と、モニタ９０５と、Ｉ／Ｏ（Input/Output）９０８とを備え、これらが内部バス９０６で接続されている。記憶装置９０２は、制御手段１９０等のＣＰＵ９０３の動作プログラムを格納する。ＣＰＵ９０３は、交換機９０７全体を制御し、記憶装置９０２に格納された動作プログラムを実行し、Ｉ／Ｏ９０８を介して制御手段１９０等のプログラムの実行やデータの送受信を行なう。なお、交換機９０７は、ＣＰＵ９０３のみを備え、外部に備えられた、記憶装置９０２、キーボード９０４、モニタ９０５、及びＩ／Ｏ９０８を用いて動作してもよい。
【００４０】
次に、本実施形態の動作を説明する。
【００４１】
図３は、本実施形態における交換機の動作を示すフローチャートである。
【００４２】
制御手段１９０は、呼接続要求を受信すると、発呼端末２００又は発呼端末側交換機（図示されない）と、試験手段１１０、１３０と、着呼端末３００又は着呼端末側交換機（図示されない）とを経由する上り及び下り両方向のサービス用通信経路を決定する（ステップＳ１１０）。
【００４３】
制御手段１９０は、サービス用通信経路において、発呼端末２００又は発呼端末側交換機（図示されない）を試験データ送受信手段１７０に、着呼端末３００又は着呼端末側交換機（図示されない）を折り返し経路１８０に置き換えることにより、試験用通信経路を設定する（ステップＳ１２０）。
【００４４】
試験データ送受信手段１７０は、試験用通信経路において、上り方向へ第１の試験データを送信し、下り方向から第２の試験データを受信し、記録する（ステップＳ１３０）。なお、第１の試験データは、予め試験データ送受信手段１７０に設定されている。
【００４５】
記録手段１２０、１４０は、試験用通信経路において、上り及び下りの両方向から受信した第３の試験データを記録する（ステップＳ１４０）。尚、記録手段１２０、１４０は、試験用通信経路の上り及び下りの両方向から受信した第３の試験データだけでなく、試験用通信経路において、上り及び下りの両方向へ送信した第４の試験データも記録してもよい。
【００４６】
制御手段１９０は、試験データ送受信手段１７０が送受信した第１及び第２の試験データと、試験手段が記録した第３又は第４の試験データを収集する（ステップＳ１５０）。そして、制御手段１９０は、第１乃至第４の試験データを用いて、故障の有無と、故障区間を判定する（ステップＳ１６０）。
【００４７】
各試験手段における試験結果については、例えば、各試験手段が、試験データ送受信手段１７０が送信した試験データから受信することが期待される試験データを受信すれば成功、期待される試験データを受信しなければ失敗と判定してもよい。
【００４８】
あるいは、例えば、試験データ送受信手段１７０が、試験データとして、連続したシーケンス番号を持つ一連のパケットを送信し、各試験手段が、試験データ送受信手段１７０が連続したシーケンス番号を持つ一連のパケットを受信すれば成功、連続したシーケンス番号を持つ一連のパケットを受信しなければ失敗と判定してもよい。
【００４９】
あるいは、例えば、各試験手段が、試験データ送受信手段１７０が送信したものと同じ試験データを受信すれば成功、同じ試験データを受信しなければ失敗と判定してもよい。
【００５０】
図４は、本発明の第１の実施形態における収集された試験データの判定結果の一例を示す図である。図４の第２−６列は試験用通信経路上の各点を、第２行以降の各行は試験用通信経路上の各点での試験結果のパターンを（成功：“ＯＫ”、失敗：“ＮＧ”）、最右列は試験結果のパターンに対応する故障の有無又は有の場合の故障区間を示す（例えば、“５１０−５２０”は点５１０と点５２０の間に故障が存在することを示す）。
【００５１】
図５は、記録手段１２０、１４０が、試験用通信経路の上り及び下りの両方向から受信した試験データだけでなく、試験用通信経路の上り及び下りの両方向へ送信した試験データも記録した場合の、本発明の第１の実施形態における収集された試験データの判定結果の一例を示す図である。図５の第２−１１列は試験用通信経路上の各点を、第２行以降の各行は試験用通信経路上の各点での試験結果のパターンを、最右列は試験結果のパターンに対応する故障の有無又は有の場合の故障区間を示す。この場合、交換機１００は、故障区間をより詳細に特定できる。
【００５２】
制御手段１９０は、試験用通信経路上に故障が無ければ（ステップＳ１６０：Ｎｏ）、試験用通信経路において、試験データ送受信手段１７０を発呼端末２００又は発呼端末側交換機（図示されない）に、折り返し経路１８０を着呼端末３００又は着呼端末側交換機（図示されない）に置き換えて、サービス用通信経路を設定する（ステップＳ１８０）。
【００５３】
制御手段１９０は、試験用通信経路上に故障があれば（ステップＳ１６０：Ｙｅｓ）、エラー処理を行う（ステップＳ１７０）。例えば、制御手段１９０は、エラー処理として、故障区間の試験手段を故障の無い別の試験手段に置き換えて、故障の無いサービス用通信経路を設定してもよい。
【００５４】
尚、ここでは、折り返し経路１８０が試験データを試験手段１１０に折り返し、上り及び下り両方の試験用通信路の試験を行う例を挙げたが、折り返し経路１８０が試験データを試験データ送受信手段１７０に折り返し、一部の下りの試験用通信路の試験を省略してもよい。この場合、交換機１００は、早いタイミングで試験を開始でき、又、試験の実施に要する時間を短縮できる。
【００５５】
図６は、本発明の第１の実施形態において、下りの試験用通信路の試験を省略した場合に収集された試験データの判定結果の一例を示す図である。図６の第２−４列は試験用通信経路上の各点を、第２行以降の各行は試験用通信経路上の各点での試験結果のパターンを、最右列は試験結果のパターンに対応する故障の有無又は有の場合の故障区間を示す。
【００５６】
以上説明したように、本実施形態における交換機は、運用中の交換機において、交換機の故障の有無、及び、故障区間を判定できる。その理由は、制御手段１９０が、呼接続要求の受信時に、サービス用通信経路の一部を含む試験用通信経路を設定し、試験用通信経路の試験実施後に、サービス用通信経路を設定するからである。
（第２の実施形態）
図７は、本発明の第２の実施形態における交換機の構成を示すブロック図である。
【００５７】
尚、以下では、第１の実施形態と本実施形態とで共通する説明は省略し、第１の実施形態に対する本実施形態の相違点のみについて説明する。
【００５８】
本実施形態の交換機１０５は、第１の実施形態における交換機１００と同じ、複数の試験手段１１０、１３０と、試験データ送受信手段１７０とを備える（一点鎖線で囲まれた範囲。以降、「運用系」という）。
【００５９】
交換機１０５は、更に、複数の試験手段４１０、４３０と、試験データ送受信手段４７０とを備える（二点鎖線で囲まれた範囲。以降、「予備系」という）。予備系の各構成要素は、運用系の各構成要素に一対一に対応し、それぞれ運用系の各構成要素と同じ機能を備える。
【００６０】
交換機１０５は、更に、第１の実施形態における制御手段１９０の代わりに、制御手段１９５を備える。制御手段１９５は、第１の実施形態における制御手段１９０と同様の機能を備えるが、運用系の各構成要素だけでなく、予備系の各構成要素も制御する。制御手段１９５は、更に、サービス時に利用する構成要素を、運用系の各構成要素から予備系の各構成要素に切り替えることができる。
【００６１】
交換機１０５は、第１の実施形態における交換機１００と同じく、発呼端末２００、及び、着呼端末３００に接続される。交換機１０５は、発呼端末側交換機（図示されない）を経由して発呼端末２００に、又は、着呼端末側交換機（図示されない）を経由して着呼端末３００に接続されてもよい。
【００６２】
図８は、本実施形態における交換機の動作を示すフローチャートである。
【００６３】
交換機１０５は、予備系において、第１の実施形態におけるステップＳ１１０−Ｓ１６０と同様に動作する（ステップＳ２１０−Ｓ２６０）。
【００６４】
制御手段１９５は、試験用通信経路上に故障があれば（ステップＳ２６０：Ｙｅｓ）、エラー処理を行う（ステップＳ２７０）。制御手段１９５は、予備系において、試験用通信経路上に故障が無ければ（ステップＳ２６０：Ｎｏ）、試験用通信経路を解放する（ステップＳ２８０）。
【００６５】
交換機１０５は、運用系において、第１の実施形態におけるステップＳ１１０−Ｓ１６０と同様に動作する（ステップＳ３１０−Ｓ３６０）。
【００６６】
制御手段１９５は、試験用通信経路上に故障があれば（ステップＳ３６０：Ｙｅｓ）、故障が見つかった運用系の構成要素を、対応する予備系の構成要素に切り替える（ステップＳ３７０）。
【００６７】
制御手段１９５は、運用系において、試験用通信経路上に故障が無ければ（ステップＳ３６０：Ｎｏ）、試験用通信経路において、試験データ送受信手段１７０を発呼端末２００又は発呼端末側交換機（図示されない）に、折り返し経路１８０を着呼端末３００又は着呼端末側交換機（図示されない）に置き換えて、サービス用通信経路を設定する（ステップＳ３８０）。
【００６８】
尚、ここでは、ステップＳ２１０−Ｓ３８０が直列に実行される例を挙げた。本実施例は、これに限らず、ステップＳ２１０−Ｓ２８０とステップＳ３１０−Ｓ３５０とが並列に実行され、ステップＳ２７０又はＳ２８０の終了後にステップＳ３６０−Ｓ３８０が実行されてもよい。
【００６９】
又、ここでは、折り返し経路１８０又は折り返し経路４８０が試験データを試験手段１１０又は試験手段４１０に折り返し、上り及び下り両方の試験用通信路の試験を行う例を挙げたが、折り返し経路１８０又は折り返し経路４８０が試験データを試験データ送受信手段１７０又は試験データ送受信手段４７０に折り返し、一部の下りの試験用通信路の試験を省略してもよい。この場合、交換機１０５は、早いタイミングで試験を開始でき、又、試験の実施に要する時間を短縮できる。
【００７０】
以上説明したように、本実施形態における交換機は、運用中の交換機において、交換機の故障の有無、及び、故障区間を判定できる。その理由は、制御手段１９５が、呼接続要求の受信時に、サービス用通信経路の一部を含む試験用通信経路を設定し、試験用通信経路の試験実施後に、サービス用通信経路を設定するからである。
【００７１】
更に、本実施形態における交換機は、運用中の交換機において、故障が見つかった運用系の構成要素を、対応する予備系の構成要素に切り替えてサービスを提供できる。その理由は、制御手段１９５が、故障区間に対応する運用系の試験手段を故障の無い予備系の試験手段に置き換えて、故障の無いサービス用通信経路を設定するからである。
【００７２】
更に、本実施形態における交換機は、運用中の交換機において、故障が発生した場合、故障が見つかった運用系の構成要素を、対応する予備系の構成要素に切り替えてサービスを継続できる可能性を高めることができる。その理由は、制御手段１９５が、故障区間に対応する運用系の試験手段を試験済みの予備系の試験手段に置き換えて、故障の無いサービス用通信経路を設定するからである。
【００７３】
尚、本願発明は、上述の実施形態に限定されるものではなく、本願発明の要旨を逸脱しない範囲で種々変更、変形して実施することができる。
【符号の説明】
【００７４】
１８０、４８０  折り返し経路
５１０、５２０、５３０、５４０、５５０、７１０、７２０、７３０、７４０、７５０    試験用通信経路上の試験点（上り）
６１０、６２０、６３０、６４０、６５０、８１０、８２０、８３０、８４０、８５０    試験用通信経路上の試験点（下り）
【図１】
2014103509.tif 000003
【図２】
2014103509.tif 000004
【図３】
2014103509.tif 000005
【図４】
2014103509.tif 000006
【図５】
2014103509.tif 000007
【図６】
2014103509.tif 000008
【図７】
2014103509.tif 000009
【図８】
2014103509.tif 000010